【手続補正書】
【提出日】平成22年10月27日(2010.10.27)
【手続補正１】
【補正対象書類名】特許請求の範囲
【補正対象項目名】全文
【補正方法】変更
【補正の内容】
【特許請求の範囲】
【請求項１】
複数のユーザイベントを識別する段階と、
識別された各ユーザイベントに関連した情報を識別する段階と、
１つ以上のプロセッサを用いて、各ユーザイベントを広告と関連付ける段階と、
個々の広告に関連付けられた識別された複数のユーザイベントに基づく識別された情報を用いて、１つ以上の広告のそれぞれについて、時刻及び地理的位置のうちの１つ以上に応じた広告の有効性を判断する段階と
を有し、
各ユーザイベントは、追跡記録されたオンライン活動又は行動であり、
各ユーザイベントに関連した情報は、各ユーザイベントの時刻及び地理的位置の情報を含み、
各ユーザイベントを広告と関連付ける段階は、各広告と、関連付けられたユーザイベントの時刻及び地理的位置の情報とを関連付ける段階を含むことを特徴とする方法。
【請求項２】
ユーザイベントが、検索クエリであることを特徴とする請求項１に記載の方法。
【請求項３】
ユーザイベントが、広告インプレッションであることを特徴とする請求項１に記載の方法。
【請求項４】
ユーザイベントが、表示された広告のユーザによる選択であることを特徴とする請求項１に記載の方法。
【請求項５】
ユーザイベントが、ユーザによる電話発呼であることを特徴とする請求項１に記載の方法。
【請求項６】
ユーザイベントの位置の識別が、
ユーザに関連したＩＰアドレスを識別する段階と、
ＩＰアドレスに関連した位置を割り出す段階と
を含むことを特徴とする請求項１に記載の方法。
【請求項７】
ユーザイベントを広告と関連付ける段階が、検索クエリユーザイベントにマッチした広告に関連した１つ以上のキーワードを識別する段階を含むことを特徴とする請求項１に記載の方法。
【請求項８】
広告の有効性を判断する段階が、ユーザイベントに関連した広告表示の頻度と、ユーザイベントの位置とを比較する段階を含むことを特徴とする請求項１に記載の方法。
【請求項９】
広告の有効性を判断する段階が、ユーザイベントに関連した広告表示の頻度と、ユーザイベントの時刻とを比較する段階を含むことを特徴とする請求項１に記載の方法。
【請求項１０】
広告の有効性を判断する段階が、他のキーワードよりも多くのユーザイベントを引き起こすキーワードを識別する段階を含むことを特徴とする請求項１に記載の方法。
【請求項１１】
位置及び時刻の情報を基準に、特定の広告の表示を分類したレポートを生成する段階をさらに有することを特徴とする請求項１に記載の方法。
【請求項１２】
広告の有効性を判断する段階が、特定の位置に対して、広告インプレッションの出現と、広告の選択とを比較する段階を含むことを特徴とする請求項１に記載の方法。
【請求項１３】
コンピュータ読み取り可能媒体上にエンコードされたコンピュータプログラムであって、
複数のユーザイベントを識別する過程と、
識別された各ユーザイベントに関連した情報を識別する過程と、
各ユーザイベントを広告と関連付ける過程と、
個々の広告に関連付けられた識別された複数のユーザイベントに基づく識別された情報を用いて、１つ以上の広告のそれぞれについて、時刻及び地理的位置のうちの１つ以上に応じた広告の有効性を判断する過程と
から成る動作をデータ処理装置に実行させる機能を有し、
各ユーザイベントは、追跡記録されたオンライン活動又は行動であり、
各ユーザイベントに関連した情報は、各ユーザイベントの時刻及び地理的位置の情報を含み、
各ユーザイベントを広告と関連付ける過程は、各広告と、関連付けられたユーザイベントの時刻及び地理的位置の情報とを関連付ける過程を含むことを特徴とするコンピュータプログラム。
【請求項１４】
オンラインユーザイベントからユーザイベントデータを収集する段階と、
オフライン媒体内の広告を識別する広告データを受信する段階と、
１つ以上のプロセッサを用いて、ユーザイベントデータ及び広告データを用いて、１つ以上の広告の有効性を判断する段階と
を有し、
各ユーザイベントは、追跡記録されたオンライン活動又は行動であり、
ユーザイベントデータは、各ユーザイベントの時刻情報を含み、
広告データは、広告が表示されたときのそれぞれの時刻情報を含むことを特徴とする方法。
【請求項１５】
オンラインユーザイベントからユーザイベントデータを収集する段階が、ユーザの位置を識別する段階をさらに含むことを特徴とする請求項１４に記載の方法。
【請求項１６】
広告を識別する広告データを受信する段階が、テレビ放送を監視する段階を含むことを特徴とする請求項１４に記載の方法。
【請求項１７】
テレビ放送を監視する段階が、字幕ストリームを監視する段階を含むことを特徴とする請求項１６に記載の方法。
【請求項１８】
字幕ストリームを監視する段階が、字幕ストリーム中の広告に関連したキーワードを識別する段階を含むことを特徴とする請求項１７に記載の方法。
【請求項１９】
広告を識別する広告データを受信する段階が、ラジオ広告を識別する段階を含むことを特徴とする請求項１４に記載の方法。
【請求項２０】
広告データを受信する段階が、広告送信の位置情報を識別する段階をさらに含むことを特徴とする請求項１４に記載の方法。
【請求項２１】
位置情報が、特定のデザインドテレビジョンマーケットデータであることを特徴とする請求項２０に記載の方法。
【請求項２２】
広告の有効性を判断する段階が、広告の表示時間帯と、広告に関連したユーザイベントとを比較する段階を含むことを特徴とする請求項１４に記載の方法。
【請求項２３】
広告の有効性を判断する段階が、広告の表示に関連したユーザイベントの増加を識別する段階を含むことを特徴とする請求項１４に記載の方法。
【請求項２４】
ユーザイベントが、広告の表示された位置と同一の位置でのイベントであることを特徴とする請求項２３に記載の方法。
【請求項２５】
広告の有効性を判断する段階が、異なる複数の試験広告の表示に関連した複数の関連ユーザイベント同士を比較する段階を含むことを特徴とする請求項１４に記載の方法。
【請求項２６】
コンピュータ読み取り可能媒体上にエンコードされたコンピュータプログラムであって、
オンラインユーザイベントからユーザイベントデータを収集する過程と、
オフライン媒体中の広告を識別する広告データを受信する過程と、
ユーザイベントデータ及び広告データを用いて、１つ以上の広告の有効性を判断する過程と
から成る動作をデータ処理装置に実行させる機能を有し、
各ユーザイベントは、追跡記録されたオンライン活動又は行動であり、
ユーザイベントデータは、各ユーザイベントの時刻情報を含み、
広告データは、広告が表示されたときのそれぞれの時刻情報を含むことを特徴とするコンピュータプログラム。
【請求項２７】
複数のユーザイベントを識別する過程と、
識別された各ユーザイベントに関連した情報を識別する過程と、
各ユーザイベントを広告と関連付ける過程と、
個々の広告に関連付けられた識別された複数のユーザイベントに基づく識別された情報を用いて、１つ以上の広告のそれぞれについて、時刻及び地理的位置のうちの１つ以上に応じた広告の有効性を判断する過程と
からなる動作を実行するように構成された１つ以上のコンピュータを具備し、
各ユーザイベントは、追跡記録されたオンライン活動又は行動であり、
各ユーザイベントに関連した情報は、各ユーザイベントの時刻及び地理的位置の情報を含み、
各ユーザイベントを広告と関連付ける過程は、各広告と、関連付けられたユーザイベントの時刻及び地理的位置の情報とを関連付ける過程を含むことを特徴とするシステム。
【請求項２８】
オンラインユーザイベントからユーザイベントデータを収集する過程と、
オフライン媒体中の広告を識別する過程と、
識別された広告から広告データを収集する過程と、
ユーザイベントデータと広告データとを比較する過程と、
ユーザイベントデータを用いて、１つ以上の広告の有効性を判断する過程と
からなる動作を実行するように構成された１つ以上のコンピュータを具備し、
各ユーザイベントは、追跡記録されたオンライン活動又は行動であり、
ユーザイベントデータは、各ユーザイベントの時刻情報を含み、
広告データは、広告が表示されたときの時刻情報を含むことを特徴とするシステム。